(57)【特許請求の範囲】
【請求項１】
少なくとも１面に金属膜を有する断熱複層ガラスを用いた電磁遮蔽窓であって、金属膜を有するガラスの該金属膜と反対側の面に導電性材料を配置し該導電性材料とサッシ窓枠とは電気的に一体に接続し、前記金属膜との間は電気的に接続しないでコンデンサとして作用させ所定の電磁遮蔽性能を実現したことを特徴とする断熱複層ガラスを用いた電磁遮蔽窓。
【請求項２】
前記導電性材料は、断熱複層ガラスの周端部と一部両面に沿って覆うと共にサッシ窓枠に延びる導電膜であることを特徴とする請求項１記載の断熱複層ガラスを用いた電磁遮蔽窓。
【発明の詳細な説明】
【０００１】
【発明の属する技術分野】
本発明は、少なくとも１面に金属膜を有する断熱複層ガラスを用いた電磁遮蔽窓に関する。
【０００２】
【従来の技術】
電波を使った無線通信方式を採用する場合には、使用周波数帯域について電波法の規制が問題になる。そこで、このような電波法による規制を受けることなく、自由に使用周波数帯域を選択、設定して独自の無線による通信方式を採用するためには、ビル内の空間を外部から電磁的に遮蔽した電磁遮蔽ビルの構築が不可欠となる。既に出願人は、このような電磁遮蔽ビルに関し、例えば特公平６−９９９７２号公報や特公平６−９９９７３号公報、特公平７−１６１１８号公報、特公平６−７６７０６号公報に、ビルの躯体や外壁の遮蔽構造について提案し、特公平６−９９９７１号公報や特公平６−３３６９９号公報、特公平６−１３８２２号公報に、ビルの出入口の遮蔽構造について、特公平６−６３４０７号公報や特公平５−７９７９０号公報、特公平３−５８５５７号公報に、窓開口部の遮蔽構造について提案している。また、特公平３−６２３２０号公報や特公平３−４５９７２号公報、特公平３−６２３１８号公報、特公平５−３４１５９号公報に、天井や階層別の遮蔽構造について提案している。
【０００３】
図３は電磁遮蔽ビルの構成概要を示す図であり、３０は窓、４０は壁、５０は天井、６０は床を示す。
図３において、壁４０は、例えば躯体の内壁に金属メッシュや金属箔（フイルム）、不織布、その他導電性繊維を用いたシート等を貼ったり、導電性塗料を塗って電磁遮蔽層を形成したもの、或いはこのような電磁遮蔽層を片面に形成したボードを用いたものである。天井５０、床６０も、壁４０と同様の施工を行い、或いは電磁遮蔽材を貼り合わせたパネルを用いたものである。窓３０は、窓ガラスの片面又は両面に上記と同様に電磁遮蔽材を用いて電磁遮蔽膜を形成し、この電磁遮蔽膜をサッシ枠に接続することにより、壁４０と窓３０の電磁遮蔽層を電気的に一体に接続したものである。なお、電磁遮蔽層を形成する場合、一般に壁や床、天井、窓ガラスの上に面状或いは膜状に用いられる電磁遮蔽材には、金属メッシュや金属箔（フイルム）、不織布、その他導電性繊維を用いたシート等、さらには導電性塗料がある。
【０００４】
【発明が解決しようとする課題】
上記のように建物に電磁遮蔽を施す場合、壁床部については、比較的簡単に電磁遮蔽材の施工が行えるが、特に問題となる部位は窓部の処理であり、窓ガラスには、電磁遮蔽ガラスが用いられる。従来の電磁遮蔽ガラスには、主として、表面に金属スパッタリングを施したガラスか、導電性メッシュを挟み込んだガラスが用いられている。
【０００５】
ところで、ＰＨＳなどの移動体通信の普及により、この場合には、簡易的な電磁遮蔽で所定の要求を実現することが求められている。一方、最近では、省エネやビルのデザイン等の観点から複層ガラスを用いる場合が増加しつつある。そのうち断熱複層ガラスは、少なくとも一方のガラスの内面に金属膜を形成してなるが、この金属膜が電磁遮蔽性能を有するので、これを利用することにより低コストの電磁遮蔽が可能となる。
【０００６】
【課題を解決するための手段】
本発明は、上記課題を解決するものであって、既存の断熱複層ガラスにより低コストで所望の電磁遮蔽を実現するものである。
【０００７】
そのために本発明は、少なくとも１面に金属膜を有する断熱複層ガラスを用いた電磁遮蔽窓であって、金属膜を有するガラスの該金属膜と反対側の面に導電性材料を配置し該導電性材料とサッシ窓枠とは電気的に一体に接続し、前記金属膜との間は電気的に接続しないでコンデンサとして作用させ所定の電磁遮蔽性能を実現したことを特徴とし、前記導電性材料は、断熱複層ガラスの周端部と一部両面に沿って覆うと共にサッシ窓枠に延びる導電膜であることを特徴とするものである。
【０００８】
【発明の実施の形態】
以下、本発明の実施の形態を図面を参照しつつ説明する。
図１は本発明に係る断熱複層ガラスを用いた電磁遮蔽窓の実施の形態を示す図であり、１、２はガラス、３は金属膜、４はスペーサ、５は導電膜、６はセッティングブロック、７はバックアップ材、８はシーリング材、９はサッシ窓枠を示す。
【０００９】
図１において、ガラス１は、断熱複層ガラスの外側のガラスを構成し、ガラス２は、断熱複層ガラスの内側のガラスを構成するものであり、スペーサ４を挟んで一定の間隔の断熱層を有している。内側のガラス２は、その外面、つまり、断熱層のある面に、金属膜３からなる電磁遮蔽層を有する。導電膜５は、図示のようにＵ字とＬ字を合わせた断面形状を有する、例えば導電性ゴムで作られたものであり、断熱複層ガラスをその周端部と一部両面に沿って覆うと共に内側の面ではさらにサッシ窓枠９に延びてサッシ窓枠９と電気的に一体に接続されるものである。したがって、断熱複層ガラスの周端部と一部両面が導電膜５を介してサッシ窓枠９に電気的に一体化されるので、バックアップ材７は、セッティングブロック６、シーリング材８と共に汎用のものでもよい。また、金属膜３は、例えばポリエチレンテレフタレートフイルム（ＰＥＴ）の表面に金、銀、銅やこれらの合金、ＩＴＯなどの導電性で高熱線反射機能を持つ特殊金属をスパッタリング加工をしたフィルム（高熱線反射フイルム）を用いてもよい。
【００１０】
なお、金属膜３と導電膜５、つまりサッシ窓枠９との間が電気的に接続されていないので、これをコンデンサモデルで示したのが図１（Ｂ）に示すコンデンサモデルである。この場合の静電容量Ｃを計算すると、
Ｃ＝εＯ  ・εＳ  ・Ｓ／ｄ
となり、金属膜３とサッシ窓枠９との間の抵抗Ｒは、
Ｒ＝ｄ／２πｆ・εＯ  ・εＳ  ・Ｓ
となる。ここで、
ｄ：金属膜３とサッシ窓枠９との間の距離
Ｓ：金属膜３とサッシ窓枠９との間の面積
εＯ  ：誘電率（８．８５４×１０１２Ｆ／ｍ）
εＳ  ：ガラスの比誘電率
ｆ：ＰＨＳの周波数
である。これを実際の電磁遮蔽窓に当てはめると、抵抗Ｒは、１．９ＧＨｚの周波数帯で数Ωとなる。したがって、この抵抗値を電磁遮蔽性能に置き換えると２０〜２５ｄＢ程度に対応することが実験結果において確認されている。
【００１１】
従来のものの場合、距離ｄは、金属膜３とサッシ窓枠９との距離になるが、導電膜５を設けた本発明のものでは、ガラス厚だけでバックアップ材７の分狭くなるので、電磁遮蔽効果を高めることができる。
【００１２】
図２は本発明に係る断熱複層ガラスを用いた電磁遮蔽窓の他の実施の形態を示す図であり、１１は導電性ガスケットを示す。コンデンサモデルによる説明から明らかなように、本発明に係る断熱複層ガラスを用いた電磁遮蔽窓によれば、図１に示すように汎用のバックアップ材７と導電膜５を用いる代わりに、図２に示すように導電性ガスケット１１を用いるようにしてもよい。この場合、さらに導電性ガスケット１１として中空のものを用いると、金属膜３に対向する導電性ガスケット１１の面積を広くとることができるので、静電効果を高めて電磁遮蔽性能を向上させることができる。
【００１３】
なお、本発明は、上記実施の形態に限定されるものではなく、種々の変形が可能である。例えば上記実施の形態では、外側のガラスに通常のガラスを用いたが、外側のガラスに延焼防止のための網入りガラスやビルのデザインに合わせてカラーガラスを用いてもよいし、外側のガラスと内側のガラスの配置を逆にしたものでもよい。また、少なくとも１面に金属膜を有するものであればよいが、複数の面に電磁遮蔽層を有するものであってもよい。
【００１４】
【発明の効果】
以上の説明から明らかなように、本発明によれば、簡易的な電磁遮蔽が要求される場合には、金属膜を有する断熱複層ガラスをサッシ窓枠に取り付ける際に、Ｕ字とＬ字を合わせた断面形状を有する導電膜５を用いて、断熱複層ガラスの周端部と一部両面に沿って覆うと共に、内側の面ではさらにサッシ窓枠９に延びてサッシ窓枠９と電気的に一体に接続するので、汎用のシーリング材、バックアップ材、セッティングブロックを用いることができる。したがって、断熱複層ガラスを用いて性能及びコストの面でも有利な電磁遮蔽窓を実現できる。また、併せて延焼防止のための網入りガラスを用いることにより、低周波数から高周波数の帯息までカバーできる電磁遮蔽窓を実現できる。
【図面の簡単な説明】
【図１】本発明に係る断熱複層ガラスを用いた電磁遮蔽窓の実施の形態を示す図である。
【図２】本発明に係る断熱複層ガラスを用いた電磁遮蔽窓の他の実施の形態を示す図である。
【図３】電磁遮蔽ビルの構成概要を示す図である。
【符号の説明】
１、２…ガラス、３…金属膜、４…スペーサ、５…導電膜、６…セッティングブロック、７…バックアップ材、８…シーリング材、９…サッシ窓枠
【図１】
0003555059.tif 000002
【図２】
0003555059.tif 000003
【図３】
0003555059.tif 000004